(57)【要約】      （修正有）【課題】車海老の養殖漁床において、限られた養殖面積で従来の何倍も養殖でき、少ない設備で効果的・衛生的な養殖環境を提供し、車海老の良好な成長を促し、歩留まりを良くできる養殖魚床を提供する。【解決手段】養殖水槽１内に養殖魚床３を複数個間隔を設けて垂設すると共に、養殖魚床３に加振手段６を取り付けたことを特徴とする魚貝養殖装置である。また、その養殖魚床３は基材は砂止め網と魚貝止め網８から構成され、その基材の上に厚さが３ｃｍから８ｃｍの砂層を形成した。また、砂層は多孔質材からなり、その多孔質材に乳酸菌を含浸させた魚貝養殖装置である。加えて、水槽内の水にナノバブル酸素を加給した魚貝養殖装置である。更に、養殖水槽内１の水をその水槽外若しくは内に設置した水浄化機能を有する浄化装置に循環させ魚貝が代謝する有機物質とアンモニアを分解・除去する魚貝養殖装置にした。【選択図】図１
2010239956.tif 000002
【特許請求の範囲】
【請求項１】
養殖水槽内に養殖魚床を複数個間隔を設けて垂設すると共に、前記養殖魚床に加振手段を取り付けたことを特徴とする魚貝養殖装置。
【請求項２】
上記養殖魚床は基材が砂止め網と魚貝止め網から構成され、該基材の上に厚さが３ｃｍから１５ｃｍの砂層が形成されたことを特徴とする請求項１に記載の魚貝養殖装置。
【請求項３】
上記砂層が多孔質材からなり、該多孔質材に乳酸菌を含浸したことを特徴とする請求項１から請求項２に記載の魚貝養殖装置。
【請求項４】
上記水槽内の水にナノバブル酸素を加給する装置を敷設したことを特徴とする請求項１から請求項３に記載の魚貝養殖装置。
【請求項５】
上記養殖水槽内の水を該水槽外若しくは内に設置した水浄化機能を有する浄化装置に循環させ魚貝が代謝する有機物質とアンモニアを分解・除去する装置を取付けたことを特徴とする請求項１から請求項４に記載の魚貝養殖装置。
【発明の詳細な説明】
【技術分野】
【０００１】  本発明は車海老の砂地養殖魚床に関する。
【背景技術】
【０００２】  従来の、車海老の養殖は砂の海岸線に大規模な網を張り稚魚を入れ、毎日飼料を与える方法がとられている。しかし１〜２年で砂地は腐敗し汚泥化するために養殖場所を転々と変えざるを得ない状況であり、海岸線の環境破壊は深刻な問題となっており、現状復帰には少なくとも１０年以上必要である。また陸上養殖は海岸近くに大規模な水槽を作り、砂を入れ、空気を送り込む方式であり、広大な規模の水槽と大規模な配管設備や機械設備で必要であった。また砂の底に溜った残飼や糞尿は腐敗するために養殖車海老の生息環境は日増しに悪化し、病気や、車海老の稚魚の成長を妨げる要因となり、歩留まりの下がる原因となっている。また収穫後の黒く腐敗した砂の処理は入れ替えるか、２〜３ヶ月放置して自然に浄化されるのを待つしかなかった。その砂は大変な量であり、その腐敗臭は大変なものであった。以上の問題で車海老の陸上養殖は不可能と言われていた。
図６は、従来の養殖池である。海岸線の堤防１８に隣接して造られた養殖池は、縦約１００ｍ、横約５０ｍとかなり大規  模な水槽１７であり、攪拌機１９が複数個設置されている、砂底には、堆積した残飼  や糞尿２０が堆積し養殖池内の生息環境は日増しに悪化し、病気や、車海老の稚魚の  成長を妨げる要因となり、車海老の歩留まりの下がる原因となっている。一般的な陸  上養殖の形態を示している。
【先行技術文献】
【特許文献】
【０００３】
【特許文献１】特開平１１−２８９９０３号公報
【発明の概要】
【発明が解決しようとする課題】
【０００４】  本発明が解決しようとする課題は、車海老を砂地養殖する養殖魚床において、限られた養殖面積で、今までより何倍もの数の車海老を養殖でき、また少ない設備で効果的で衛生的な養殖環境を提供することによって、病気の原因を無くし、車海老の良好な成長を促し、歩留まりを良くできる養殖魚床を提供する。更に、底に溜った残飼や糞尿を簡単に処理でき、また出荷時や、成育観察のための途中捕獲など、砂中から車海老だけを簡単に捕獲できる車海老の養殖魚床を提供することにある。
【課題を解決するための手段】
【０００５】  本発明は、養殖水槽内に養殖魚床を複数個間隔を設けて垂設すると共に、養殖魚床に加振手段を取り付けたことを特徴とする魚貝養殖装置である。また、その養殖魚床の基材は砂止め網と魚貝止め網から構成され、その基材の上に厚さが３ｃｍから１５ｃｍの砂層を形成した。また、砂は多孔質材からなり、その多孔質材に好気性の乳酸菌を含浸させた魚貝養殖装置である。加えて、水槽内の水にナノバブル酸素を加給する魚貝養殖装置である。更に、養殖水槽内の水をその水槽外若しくは内に設置した水浄化機能を有する好気性の乳酸菌を含浸させた砂の入った浄化装置に循環させ魚貝が代謝する有機物質とアンモニアを分解・除去する魚貝養殖装置である。
【発明の効果】
【０００６】  本発明によれば、車海老を砂地養殖する養殖魚床において、１基の養殖魚床は砂止め網と魚貝止め網、好気性の乳酸菌含浸の多孔質砂層から構成され、水中に浮いた状態に設置することで、何層も重ねることが可能となり、限られた養殖面積で、従来の数倍の車海老養殖が可能になった。また、養殖魚床に加振手段を取り付けたことにより好気性の乳酸菌含浸の多孔質砂層内の残飼や糞尿などは振い落され残留し難くなった、残留した残飼や糞尿は好気性乳酸菌によって分解・除去され養殖車海老の生息環境は非常に良くなった。更に、養殖水槽の底の形状は、振い落された残飼や糞尿や毀れた砂が自然に集まるようにジョウゴ型に造られている、ジョウゴ型槽底の最下端と水槽の最上端はポンプ・開閉バルブ・ナノバブル酸素発生装置・処理槽が組み込まれた配管設備で接合され、残飼や糞尿・毀れた砂だけを処理槽に回収し処理することができる。更に、ジョウゴ型槽底の配管設備から送り込まれる空気やナノバブル酸素が複層に設置された養殖漁床を通過することによって養殖漁床の多孔質砂中の好気性乳酸菌は活性化し残飼や糞尿に含まれる有機物質とアンモニアを分解・除去するため、車海老の生息環境は良好に保たれ、稚車海老の生育は非常に良くなり歩留まりもよくなった。また、養殖漁床は砂止め網と魚貝止め網の２層で構成されているために、砂中から車海老だけを、簡単に捕獲できた。
【図面の簡単な説明】
【０００７】
【図１】  本発明に係る１実施例を示す概略図
【図２】  １基の養殖魚床の概略図、
【図３】  ４基の魚床を垂設した状態と、魚床を巻き上げた状態を示す概略図
【図４】  ジョウゴ型槽底に残飼や糞尿・毀れた砂が底に溜った状態を示す概略図
【図５】  ジョウゴ型槽底からナノバブル酸素や空気を噴出した状態を示す概略図
【図６】  従来の養殖池を示す一般的な養殖池の概略図である。
【発明を実施するための形態】
【０００７】  本発明に係る具体的実施例を図１から図５を参照して以下説明する。
【０００８】  図１は本発明に係る１実施例を示す概略図である。
養殖水槽１内に養殖魚床３を４基間隔を設けて垂設し、養殖水槽１のジョウゴ型槽底の最下端と水槽の最上端は、ポンプ１１、開閉バルブ１２、処理槽１３、ナノバブル酸素発生装置１４を配管設備１０によって接続されている。開閉バルブ１２の操作と、ポンプ１１の運転により水槽内の海水２を循環したり、底に溜まった残飼や糞尿・毀れた砂１５の処理槽１３への移送が可能である。また、処理槽１３には好気性乳酸菌含浸の多孔質砂９が入っている。さらにジョウゴ型槽底から配管設備１０を通して空気やナノバブル酸素１６を噴出させる事が可能である。
図２は、養殖魚床３の拡大図である。
図２（イ）は平面図を示し、（ロ）は図２（イ）のＡ−Ａ矢視断面図を示し、（ハ）は    図２（ロ）のＣ部部分拡大図を図示して    いる。
養殖魚床３には、砂止め網７、魚貝止め網８、３ｃｍから１５ｃｍの好気性乳酸菌含浸の多孔質砂層９が底から順に配置されている。さらに巻き上げ用ロープ４、垂設用ロープ５、加振手段用ロープ６を設けた。なお、好気性乳酸菌含浸の多孔質砂層９は３ｃｍ以下では稚車海老が多孔質砂層９の中に潜ることが出来ず不具合であった。そして車海老の成長に合わせて多孔質砂層９を１５ｃｍまで増設することによって車海老は良好に成長した。
図３（イ）は垂設用ロープ５によって養殖魚床３を４基垂設した状態を示す概略図である。図３（ロ）は巻き上げ用ロープ４によって養殖魚床３を巻き上げた状態を示す概略図である。また図３（ロ）の状態で、砂中から魚貝止め網８だけを引き上げることによって、成育観察のための途中捕獲や出荷時の捕獲が簡単にできた。さらに多孔質砂層９を追加することが簡単にできた。
図４は、養殖魚床３から加振手段用ロープ６を介してジョウゴ型槽底に振るい落とされた残飼や糞尿・毀れた砂１５がジョウゴ型槽底に溜まった状態を示す拡大図である。養殖魚床３から振るい落とされた残飼や糞尿・毀れた砂１５は配管設備１０に組み込まれ、図１に図示の開閉バルブ１１の操作と、ポンプ１２の運転により、処理槽１３へ移送することができた。
図５は、ジョウゴ型槽底の配管設備１０を通して、図１に図示のナノバブル酸素発生装置１４で作られたナノバブル酸素や空気１６を噴出させた状態を示す拡大図である。ナノバブル酸素や空気１６が垂設した４基の養殖魚床３を通過すると、多孔質砂層９に含浸された乳酸菌は活性化し、残飼や糞尿に含まれる有機物質とアンモニアは分解・除去され、車海老の生息環境は良好に保たれた。
【産業上の利用可能性】
【００１１】  本発明では、海水中に限らず淡水でも、車海老の養殖が可能であり、海辺に限らず山地や地上など狭い場所でも設置可能である。また温泉地や火力発電所などの廃熱利用による温水養殖は、稚車海老の生育を更に良くすると思われる。また、シャコや稚カニ、アサリやハマグリなど、他の魚貝の養殖にも適用可能である。
【符号の説明】
【００１３】  １    養殖水槽
２    海水
３    養殖魚床
４    巻き上げ用ロープ、
５    垂設用ロープ
６    加振手段用ロープ
７    砂止め網
８    魚貝止め網
９    好気性乳酸菌を含浸させた多孔質砂層
１０  配管設備
１１  ポンプ
１２  開閉バルブ
１３  処理槽
１４  ナノバブル酸素発生装置
１５  残飼や糞尿・毀れた砂
１６  ナノバブル酸素や空気
１７  砂大規模な水槽
１８  堤防
１９  攪拌機
２０  堆積した残飼や糞尿
【図１】
2010239956.tif 000003
【図２】
2010239956.tif 000004
【図３】
2010239956.tif 000005
【図４】
2010239956.tif 000006
【図５】
2010239956.tif 000007
【図６】
2010239956.tif 000008